(57)【要約】【課題】ホログラフィにより情報が記録される光ディスクの偏芯量を小さくすること。【解決手段】光ディスク１は、記録層保持体３（透明基板９、ホログラム記録用の記録層７、透明基板１１）上にプリフォーマット基板５が重ねられた構造をしている。光ディスク１の中心穴は、プリフォーマット基板５の中心穴２１と、記録層保持体３の中心穴１３とにより構成され、中心穴２１の大きさは中心穴１３よりも小さい。光ディスク用ドライブ装置のスピンドル１２への光ディスク１の固定には、中心穴２１が利用され、中心穴１３は利用されない。【選択図】　図３
2004127380.tif 000002
【特許請求の範囲】
【請求項１】
情報がホログラフィにより記録される光情報記録媒体であって、
ホログラム記録用の記録層を透明基板で保持すると共に前記光情報記録媒体を駆動するための軸が差し込まれる箇所に中心穴を有する記録層保持体と、
前記光情報記録媒体を駆動するための軸と固定される箇所になると共に、前記記録層保持体の中心穴よりも小さい中心穴および物理的なプリフォーマットが施された領域を有し、前記記録層保持体の上に配置されるプリフォーマット基板と、
を備えたことを特徴とする光情報記録媒体。
【請求項２】
前記記録層保持体の表面のうち、前記プリフォーマット基板が配置された面と反対側の面の上に配置され、磁石により吸着される金属層を備えたことを特徴とする請求項１記載の光情報記録媒体。
【発明の詳細な説明】
【０００１】
【発明の属する技術分野】
本発明は、情報がホログラフィにより記録される光情報記録媒体に関する。
【０００２】
【従来の技術】
従来から、ホログラフィによって情報をイメージ情報の形で光ディスクに高密度で記録する方式が知られている。この方式におけるイメージ情報の記録は、イメージ情報を担持する情報光と参照光とを光ディスクの記録層で重ね合わせ、情報光と参照光の干渉により生じる干渉縞パターンを記録層に書込むことにより実現される。参照光と同様の光を干渉縞パターンが書込まれた記録層に照射すると、照射された光が干渉縞パターンによって回折されることによりイメージ情報が再生される。
【０００３】
光ディスクには中心穴が設けられている。記録再生時における光ディスクの回転は、中心穴に光ディスク用ドライブ装置のスピンドル（軸）を差し込んで光ディスクをスピンドルに固定し、スピンドルを回転させることにより実現している。
【０００４】
上記光ディスクは、通常、次のようにして作製される。ホログラム記録用の記録層を保持する記録層保持体、セクターアドレスやトラックアドレスなどを示す物理的なプリフォーマットが施された領域（エンボスビット）が形成されたプリフォーマット基板、をそれぞれ用意する。記録層保持体およびプリフォーマット基板には、光ディスクの中心穴（貫通穴）が予め形成されている。記録層保持体の上に接着剤を介してプリフォーマット基板を重ねて、この基板を記録層保持体に固定することにより、光ディスクが完成する。
【０００５】
【発明が解決しようとする課題】
さて、従来の光ディスクでは、記録層保持体、プリフォーマット基板の各々に中心穴を形成する際に、中心穴の位置ずれは不可避的に生じる。これが原因で光ディスクに偏芯が生じる。中心穴の位置ずれ量を、記録層保持体、プリフォーマット基板の各々において、±α１，±α２とすると、偏芯量は最大でα１＋α２となる。偏芯が生じる光ディスクに情報をドライブ装置により記録したとする。この光ディスクを別のドライブ装置で再生する場合、光ディスクの偏芯量が別のドライブ装置の許容範囲外であると、データ欠陥が増加し、最悪の場合は再生が不可能となる。
【０００６】
また、光ディスクを作製するとき、記録層保持体の中心穴とプリフォーマット基板の中心穴との位置合わせ精度が悪いと、光ディスクの中心穴にスピンドルを差し込むことができなくなる。つまり、記録層保持体の中心穴側から差し込まれたスピンドルがプリフォーマット基板の中心穴に入らない事態が生じる。この場合は光ディスクを駆動させることができず、記録再生が不可能となる。スピンドルが光ディスクの中心穴に確実に入るようにするには、以下の二つが考えられる。
【０００７】
一つは、スピンドルの径を、記録層保持体およびプリフォーマット基板の各々の中心穴の径よりも十分小さめに設定することである。しかし、この場合、スピンドルへの光ディスクの固定が不安定となるので、記録再生時に大きな偏芯や振動が生じ、正確な記録再生ができなくなる。
【０００８】
もう一つは、記録層保持体およびプリフォーマット基板の各々の中心穴を、ガイドポストに通すことにより、位置合わせをすることである。しかし、この場合、ガイドポストが各中心穴に確実に通るようにするために、ガイドポストの径を各中心穴の径よりさらに小さくする必要がある。よって、ガイドポストの径と中心穴の径との差をα３とすると、偏芯量の最大値がα１＋α２＋α３となり、偏芯量はさらに大きくなる。
【０００９】
本発明は、かかる問題点に鑑みてなされたもので、光情報記録媒体の偏芯量を小さくすることができる光情報記録媒体を提供することを目的とする。
【００１０】
【課題を解決するための手段】
本発明に係る光情報記録媒体は、情報がホログラフィにより記録される光情報記録媒体であって、ホログラム記録用の記録層を透明基板で保持すると共に光情報記録媒体を駆動するための軸が差し込まれる箇所に中心穴を有する記録層保持体と、光情報記録媒体を駆動するための軸と固定される箇所になると共に、記録層保持体の中心穴よりも小さい中心穴および物理的なプリフォーマットが施された領域を有し、記録層保持体の上に配置されるプリフォーマット基板と、を備えたことを特徴とする。
【００１１】
本発明に係る光情報記録媒体によれば、光情報記録媒体を駆動するための軸との固定をプリフォーマット基板の中心穴を利用し、記録層保持体の中心穴を利用していない。このため、光情報記録媒体の偏芯は、プリフォーマット基板に形成された螺旋状のトラックの中心と、その基板の中心穴との位置ずれ量のみにすることが可能となるので、光情報記録媒体の偏芯を小さくすることができる。
【００１２】
また、記録層保持体の中心穴の大きさが、プリフォーマット基板の中心穴よりも大きいので、光情報記録媒体を作製するとき、これらの中心穴の位置合わせ精度が多少悪くても、光情報記録媒体の中心穴（記録層保持体の中心穴とプリフォーマット基板の中心穴とを重ねたもの）に上記軸を確実に差し込むことができる。
【００１３】
本発明に係る光情報記録媒体において、記録層保持体の表面のうち、プリフォーマット基板が配置された面と反対側の面の上に配置され、磁石により吸着される金属層を備えてもよい。これによれば、光情報記録媒体を駆動するための軸に、光情報記録媒体の金属層を磁力により吸着させることが可能となり、上記軸への光情報記録媒体の取り付けの安定性を高めることがでる。
【００１４】
【発明の実施の形態】
以下、図面に基づいて本発明の一実施形態について説明する。まず、この実施形態に係る光ディスク（光情報記録媒体の一例）１の構造について、図１〜図３を用いて説明する。図１は光ディスク１の断面模式図である。図２は光ディスク１を記録層保持体とプリフォーマット基板に分解した断面模式図である。図３は光ディスク１をスピンドルに固定した状態を示す断面模式図である。
【００１５】
光ディスク１には、ホログラフィによりデジタル情報が記録される。光ディスク１は円盤状をしており、図２に示すように、記録層保持体３上にプリフォーマット基板５を重ねた構造をしている。
【００１６】
記録層保持体３は、ホログラム記録用の記録層７を一対の透明基板９，１１で挟んで保持した構造をしている。また、記録層保持体３は、光ディスク用ドライブ装置のスピンドル１２（光ディスクを駆動するための軸）が差し込まれる箇所において、透明基板９、記録層７および透明基板１１を貫通する中心穴１３を有する。透明基板９，１１の材料は、例えば、ガラス、水晶、ダイヤモンド、樹脂（ポリカーボネートなど）である。透明基板９，１１は板状でもよいし、フィルム状や透明コート膜状でもよい。透明基板９，１１の厚みは例えば５〜１２００μｍである。
【００１７】
記録層７の材料は、情報光や参照光となるレーザ光が記録層７に所定時間照射されたとき、レーザ光の強度に応じて照射箇所の光学特性（屈折率、吸収率、透過度、蛍光発光性、反射率など）が変化するホログラム記録材料である。具体的には、例えば、デュポン（Ｄｕｐｏｎｔ）社製のフォトポリマ（Ｐｈｏｔｏｐｏｌｙｍｅｒｓ）ＨＲＦ−６００（製品名）である。記録層７の厚みは、例えば４〜１０００μｍである。
【００１８】
プリフォーマット基板５の一方の面には、サーボ情報、セクターやトラックのアドレス情報などを示すピット１５が形成されている。ピット１５は光ディスクの製造時に予め形成されている。ピット１５が形成された領域が物理的なプリフォーマットが施された領域となる。ピット１５を覆うようにアルミニウム層１７がプリフォーマット基板５の上に形成されている。アルミニウム層１７はレーザ光を反射する層として機能する。プリフォーマット基板５のピット１５の形成面は、透明接着剤１９により透明基板１１と接着されている。
【００１９】
プリフォーマット基板５は、ガラスや樹脂（ポリカーボネートなど）などの透明な材料で構成されており、厚みは例えば５〜１２００μｍである。プリフォーマット基板５の中心部には、スピンドル１２と固定される箇所になる中心穴２１が形成されている。中心穴２１と中心穴１３により光ディスク１の中心穴が構成される。中心穴２１の大きさは中心穴１３よりも小さく、例えば、中心穴２１の径が３〜５０ｍｍの場合、中心穴１３の径は５〜５５ｍｍである。なお、本実施形態では、中心穴１３，２１の形状が円形であるが、四角形など他の形状でもよい。
【００２０】
図３に示すように、光ディスク１は、中心穴２１に挿入されたスピンドル１２の円柱部２２に固定される。なお、スピンドル１２の中心穴１３側の端部には、フランジ２４が形成されている。フランジ２４は、光ディスクが載置されるターンテーブルとして機能する。
【００２１】
以上のように、本実施形態に係る光ディスク１によれば、スピンドル１２との固定をプリフォーマット基板５の中心穴２１を利用し、記録層保持体３の中心穴１３を利用していない。このため、光ディスク１の偏芯は、プリフォーマット基板５に形成される中心穴２１の位置ずれの許容量の範囲内にすることが可能となるので、光ディスク１の偏芯を小さくすることができる。
【００２２】
なお、中心穴１３の大きさを中心穴２１より小さくして、スピンドル１２との固定箇所を中心穴１３にした態様に比べて、本実施形態は以下の▲１▼▲２▼の点から好ましい。
▲１▼従来の光ディスクの態様の場合、光ディスク１の偏芯を小さくするために、プリフォーマット基板５を記録層保持体３に高い位置決め精度で貼り合わせなくてはならない。この貼り合わせにおいて高精度な位置決めを実現するのは困難であり、実現できてもコスト増となる。これに対して、本実施形態に係る光ディスク１によれば、高い位置決め精度でプリフォーマット基板５を記録層保持体３に貼り合わせる必要がないので、貼り合わせが容易であり、安価な光ディスクを提供することができる。
▲２▼従来の光ディスクの態様の場合、記録層保持体３の中心穴１３の位置ずれ＋記録層保持体３とプリフォーマット基板５との位置ずれ、がピット１５の偏芯量となる。これに対して、本実施形態では、プリフォーマット基板５の中心穴２１の位置ずれがピット１５の偏芯量となるので、ピット１５の偏芯量を小さくすることができる。
【００２３】
また、本実施形態に係る光ディスク１によれば、記録層保持体３の中心穴１３の大きさが、プリフォーマット基板５の中心穴２１よりも大きいので、光ディスク１を作製するとき、中心穴１３と中心穴２１との位置合わせ精度が多少悪くても、光ディスク１の中心穴（中心穴１３，２１）にスピンドル１２を確実に差し込むことができる。
【００２４】
次に、ホログラフィの一つの態様であるボリュームホログラフィを利用して、光ディスク１に情報を記録する方法を図４により簡単に説明する。図４は光ディスク１の一部を拡大した図である。図４において、図１中の符号が示す要素と同一の要素については同一符号を付している。
【００２５】
情報光Ｌ１および参照光Ｌ２は、光ヘッドのレンズ２３を通過したレーザ光である。透明基板９側から情報光Ｌ１と参照光Ｌ２とを同時に記録層７に照射して、記録層７に干渉縞パターンＰを記録する。記録層７のうち干渉縞パターンが記録された箇所をスポットＳという。図５はスポット群の一部の平面図である。光ディスク１を僅かに回転させて、先ほど形成されたスポットＳ（例えばスポットＳ１とする）と平面的に一部が重なる新たなスポットＳ（この場合はスポットＳ２となる）を記録層７に形成する。これを繰り返すことにより、記録層７に干渉縞パターンを多重記録する。このような記録によれば、光ディスク１の記録層７に干渉縞パターンを三次元的に書込むことができ、記録密度を更に増加させることができる。
【００２６】
次に、光ディスク１の製造方法の一例を詳細に説明する。
【００２７】
（プリフォーマット基板形成工程）
まず、プリフォーマット基板形成工程について、図６を用いて説明する。図６はプリフォーマット基板５の断面模式図である。中心部に中心穴２１が形成された透明基板２５を用意する。透明基板２５上にピット１５を形成する。透明基板２５がガラス基板である場合には、例えばガラス基板の上にＵＶ（紫外線）硬化樹脂をピットの凹凸の深さに相当する厚み分だけ塗布し、図示しないスタンパをＵＶ硬化樹脂に押し当てながら、反対側からＵＶを照射することによりピットを形成することができる。また、透明基板２５がポリカーボネート等の樹脂の場合には、直接モールド成形によってピット付きの透明基板２５を形成することができる。
【００２８】
次に、透明基板２５のピット１５が形成された面に蒸着やスパッタリングなどによってアルミニウム層１７を形成することにより、プリフォーマット基板５が完成する。なお、アルミニウム層１７の腐食防止や光ディスク１の製造工程中におけるアルミニウム層１７の傷発生防止のために、アルミニウム層１７形成工程後、アルミニウム層１７上に透明樹脂などからなる保護膜を形成してもよい。
【００２９】
（記録層保持体形成工程）
次に、記録層保持体形成工程を説明する。図７は記録層保持体となる円盤構造体２７の断面模式図であり、図８は円盤構造体２７の平面図である。図７および図８に示すように、まず、中心部にそれぞれ中心穴１３ａ，１３ｂが形成された透明基板９，１１を用意する。次に、透明基板９，１１のいずれか一方の外周部および内周部上にリング状のスペーサ２９を固定する。これら外周部および内周部は、光ディスク１に情報を記録する際に記録領域とならない部分である。スペーサ２９の厚みは記録層７の厚みと同じである。
【００３０】
中心穴１３ａ，１３ｂにより中心穴１３が形成されるように、他方の透明基板を一方の透明基板上に対向配置し、他方の透明基板をスペーサ２９に固定する。これにより、円盤構造体２７が完成する。透明基板９と透明基板１１の間には、スペーサにより隙間３１が形成される。外周部のスペーサ２９の一部は開口部３３となっており、この開口部３３を介して隙間３１が外部とつながっている。
【００３１】
次に、円盤構造体２７の隙間３１にホログラム記録材料を充填する。この充填は、ホログラム記録材料の粘性に応じて次の二つ方法を選択することができる。一つ目は、ホログラム記録材料の粘性が低い場合の方法である。細管（例えば注射針、チューブ）の先端を、開口部３３を通して隙間３１中に入れて、細管に液状のホログラム記録材料を流して隙間３１にホログラム記録材料を充填する。そして、開口部３３のみに強い紫外線を照射し、その部分のホログラム記録材料を硬化させて開口部３３を塞ぐ。なお、開口部３３を栓により塞ぐこともできる。
【００３２】
二つ目は、ホログラム記録材料の粘性がやや高い場合の方法である。この方法を図９により説明する。図９は、この充填工程で利用する真空チャンバの断面模式図である。まず、円盤構造体２７を真空チャンバ３５内に収容する。真空チャンバ３５内には、更にホログラム記録材料である液体感光剤３７を満たした容器３９が配置される。この状態で真空ポンプを駆動して真空チャンバ３５内を減圧する。この場合、円盤構造体２７の隙間３１も開口部３３を介して外部と同圧となるので、圧力による反り等は発生しない。
【００３３】
真空チャンバ３５内を所定圧まで減圧したら、円盤構造体２７の開口部３３を液体感光剤３７の液面よりも少し沈める。そして、真空チャンバ３５内の圧力を常圧に戻す。この場合、円盤構造体２７の隙間３１は、減圧されたままなので、液体感光剤３７は隙間３１に吸い上げられる。開口部３３と反対側に小さい気泡が残っている場合、開口部３３を上に向けることにより、気泡を開口部３３から外部に放出させる。再度、減圧と常圧のサイクルを行うことにより、隙間３１中に液体感光剤３７が行き渡るようにする。
【００３４】
その後、円盤構造体２７を真空チャンバ３５内から取り出し、円盤構造体２７の液体感光剤３７と接した部分に付着している液体感光剤を拭き取る。最後に、開口部３３のみに強い紫外線を照射し、その部分の液体感光剤３７を硬化させて開口部３３を塞ぐ。なお、栓により開口部３３を塞ぐこともできる。
【００３５】
なお、ホログラム記録材料の粘性がさらに高い場合、開口部３３を経由して隙間３１にホログラム記録材料を充填するのは困難なので、記録層保持体３を次の方法で作製する。図１０および図１１は、この方法を工程順に示す図であり、ホルダ４３，４５の断面を模式的に表している。
【００３６】
図１０に示すように、上下に対向するホルダ４３，４５のうち、下側のホルダ４３の上に、中心穴１３ａを有する透明基板９を配置し、エアーの吸引力によって透明基板９を保持する。透明基板９の外周部および内周部上に、図７で説明したスペーサ２９を固定する。また、上側のホルダ４５の下面に中心穴１３ｂを有する透明基板１１を配置し、透明基板１１をエアーの吸引力によって保持する。次に、ホログラム記録材料４１を透明基板９の所定の半径位置にリング状に塗布する。
【００３７】
図１１に示すように、ホルダ４５に保持された透明基板１１を透明基板９に押し付けて、透明基板９と透明基板１１の間の隙間にホログラム記録材料４１を薄く伸ばして充填する。スペーサ２９から外部にはみ出したホログラム記録材料４１をふき取る。そして、透明基板９と透明基板１１の間に充填されているホログラム記録材料４１の全体に熱や光などを加えることにより、ゲル化させて記録層７にする。以上のようにして記録層保持体３が完成する。
【００３８】
（貼り合わせ工程）
次に、記録層保持体３とプリフォーマット基板５の貼り合わせ工程を説明する。図１２〜図１４は、これを工程順に示す図であり、回転テーブル４７の断面を模式的に表している。図１２に示すように、図６のプリフォーマット基板５の中心穴２１を回転テーブル４７の中心ボス４９に挿入して位置決めし、アルミニウム層１７を上にしてプリフォーマット基板５を回転テーブル４７の上に配置する。そして、エアーの吸引力によってプリフォーマット基板５を回転テーブル４７に固定する。
【００３９】
図１３に示すように、プリフォーマット基板５の所定の領域上に透明接着剤１９をリング状に塗布する。次に、中心ボス４９の先端に被さるように、円筒５１をプリフォーマット基板５の内周部上に配置する。
【００４０】
円筒５１は記録層保持体３の位置決めに利用され、記録層保持体３をプリフォーマット基板５に接着した後に取り去られる。また、光ディスク用ドライブ装置のスピンドルは、記録層保持体３の中心穴１３に固定されないので、記録層保持体３の位置ずれは光ディスク１の偏芯に影響を及ぼさない。よって、円筒５１の内径および外径の値は、記録層保持体３をプリフォーマット基板５に接着した後、円筒５１を容易に取り去ることができる値であればよい。このため、円筒５１の内径は中心ボス４９の径よりも僅かに大きく、外径は記録層保持体３の中心穴１３の径よりも僅かに小さくされている（つまり、円筒５１の内径および外径は、円筒５１が中心ボス４９や記録層保持体３の中心穴１３に密着しない値である）。
【００４１】
図１４に示すように、記録層保持体３の中心穴１３を円筒５１に挿入して、プリフォーマット基板５の上に記録層保持体３を配置し、記録層保持体３をプリフォーマット基板５に軽く押し付ける。そして、回転テーブル４７を回転させると、透明接着剤１９は遠心力により外側に流れて行き、アルミニウム層１７の全面に広がる。プリフォーマット基板５と記録層保持体３の積層物を、中心ボス４９から抜き、さらに円筒５１を中心穴１３から抜きとる。透明接着剤１９が固化することにより、プリフォーマット基板５と記録層保持体３とが貼り合された光ディスク１が完成する。
【００４２】
記録層保持体３とプリフォーマット基板５の貼り合わせには、透明接着剤１９の替わりに両面接着テープを利用することもできる。この場合、記録層保持体３の透明基板１１の外周部および内周部上にリング状の両面接着テープの一方の面を貼り付ける。プリフォーマット基板５の外周と記録層保持体３の外周を基準として、両面接着テープの他方の面にプリフォーマット基板５を貼り付けることにより、光ディスク１が完成する。なお、プリフォーマット基板５に両面接着テープの一方の面を貼り付けてから、他方の面に記録層保持体３を貼り付けてもよい。
【００４３】
次に、本実施形態に係る光ディスクの変形例を説明する。図１５は、この光ディスク６１の断面模式図である。図１６はこの光ディスク６１がスピンドル１２に固定された状態を示す断面模式図である。図１および図３中の符号が示す要素と同一の要素については同一符号を付すことにより説明を省略する。
【００４４】
図１５および図１６に示すように、光ディスク６１の表面である透明基板９の内周部上、つまりスピンドル１２のフランジ６５と面する部分上には、磁石により吸着される金属層６３（鉄やニッケルのような強磁性体）が形成されている。スピンドル１２のフランジ２４上には磁石６５が取り付けられている。
【００４５】
光ディスク６１をスピンドル１２に固定する際、プリフォーマット基板５の中心穴２１および記録層保持体３の中心穴１３の両方を利用せず、中心穴２１のみ利用している。このため、光ディスクの上下方向の固定が不十分となる事態が起こりうる。これにより、光ディスクの回転時、光ディスクの上下方向の振動が大きくなり、光ディスクの記録再生特性が劣化する。
【００４６】
これに対して、光ディスク６１は、中心穴２１において光ディスク６１をスピンドル１２に固定した際、金属層６３が磁石６５に吸着されるので、記録再生時において光ディスク６１の上下方向の振動を抑制でき、回転を安定させることができる。
【００４７】
なお、金属層６３の形状は特に限定されず、例えば、リング状でもよいし、矩形でもよい。矩形の場合、金属層６３を二つ用意して、点対照に配置する。また、金属層６３自体が磁石であってもよい。この場合、フランジ２４の上に磁石６５を取り付けた構造でもよいし、フランジ２４を強磁性材料で構成してもよい。
【００４８】
次に、図１６に示すスピンドル１２を備えた光ディスクを記録・再生する装置７１、つまり本実施形態に係る光ディスクをドライブする装置について説明する。図１７はこのドライブ装置７１の構成を示すブロック図である。ドライブ装置７１は、記録および再生機能うち少なくとも一方の機能を有する。以下、ドライブ装置７１の各構成について説明する。
【００４９】
モータ７３は、その回転軸７５にスピンドル１２（光情報記録媒体を駆動する軸の一例）が固定されている。スピンドルサーボ回路７７は、スピンドル１２の回転数を適正な値に保つようにモータ７３を制御する。光ヘッド７９は、半導体レーザおよび各種光学機器（レンズ、ミラーなど）により構成される。記録時において、光ヘッド７９は情報光と参照光を光ディスク６１に照射する。再生時において、光ヘッド７９は参照光と同様の光を光ディスク６１に照射すると共にこれにより再生されたイメージ情報を検出する。これらの光を図１７では光Ｌで示している。移動機構８１は、スピンドル１２を光ディスク６１に固定した状態において、光ヘッド７９を光ディスク６１の半径方向に移動させる。
【００５０】
制御回路８３は、フォーカスサーボ制御、トラッキングサーボ制御、追跡サーボ制御、スライドサーボ制御などの各種制御をする。フォーカスサーボ制御は、光ディスク６１に対する光ヘッド７９のフォーカス調整をする制御である。トラッキングサーボ制御は、光ディスク６１に対する光ヘッド７９のトラッキング調整をする制御である。追跡サーボ制御は、情報光と参照光の照射位置が所定時間ずれないように光ヘッド７９を追従させる制御である。これらの制御は、光ヘッド７９のレンズを移動させることによりなされる。スライドサーボ制御は、移動機構８１により光ヘッド７９を光ディスク６１の半径方向に移動させる制御である。
【００５１】
なお、本実施形態に係る光ディスク（光情報記録媒体）の形状は円盤状であればよく、例えば、外形が三角形、四角形や六角形等であり、大きさが名刺程度のカード状容器の中に円盤状の記録エリアを有する光情報記録媒体についても本実施形態を適用することができる。
【００５２】
【発明の効果】
以上述べたように、本発明に係る光情報記録媒体によれば、光情報記録媒体を駆動するための軸との固定をプリフォーマット基板の中心穴を利用し、記録層保持体の中心穴を利用していない。このため、光情報記録媒体の偏芯を小さくすることができるので、光情報記録媒体の品質を向上させることができる。また、光情報記録媒体の中心穴（プリフォーマット基板の中心穴と記録層保持体の中心穴で構成される）に光情報記録媒体を駆動するための軸が差し込めない事態を防ぐことができるので、光情報記録媒体を確実に駆動させることができる。
【図面の簡単な説明】
【図１】本実施形態に係る光ディスクの断面模式図である。
【図２】図１の光ディスクを分解した断面模式図である。
【図３】図１の光ディスクをスピンドルに固定した状態を示す断面模式図である。
【図４】図１の光ディスクの一部を拡大した図である。
【図５】図１の光ディスクの記録層に形成されたスポット群の一部の平面図である。
【図６】図１の光ディスクを構成するプリフォーマット基板の断面模式図である。
【図７】図１の光ディスクを構成する記録層保持体の作製に用いる円盤構造体の断面模式図である。
【図８】図７の光ディスクの平面図である。
【図９】ホログラム記録材料の充填方法で利用する真空チャンバの断面模式図である。
【図１０】図１の光ディスクを構成する記録層保持体の作製方法の第１工程図である。
【図１１】図１の光ディスクを構成する記録層保持体の作製方法の第２工程図である。
【図１２】記録層保持体とプリフォーマット基板の貼り合わせを説明するための第１工程図である。
【図１３】記録層保持体とプリフォーマット基板の貼り合わせを説明するための第２工程図である。
【図１４】記録層保持体とプリフォーマット基板の貼り合わせを説明するための第３工程図である。
【図１５】本実施形態に係る光ディスクの変形例の断面模式図である。
【図１６】図１５の光ディスクがスピンドルに固定された状態を示す断面模式図である。
【図１７】本実施形態に係る光ディスクを記録・再生する装置の構成を示すブロック図である。
【符号の説明】
１・・・光ディスク、３・・・記録層保持体、５・・・プリフォーマット基板、７・・・記録層、９・・・透明基板、１１・・・透明基板、１２・・・スピンドル、１３，１３ａ，１３ｂ・・・中心穴、１５・・・ピット、１７・・・アルミニウム層、１９・・・透明接着剤、２１・・・中心穴、２２・・・円柱部、２３・・・レンズ、２４・・・フランジ、２５・・・透明基板、２７・・・円盤構造体、２９・・・スペーサ、３１・・・隙間、３３・・・開口部、３５・・・真空チャンバ、３７・・・液体感光剤、３９・・・容器、４１・・・ホログラム記録材料、４３，４５・・・ホルダ、４７・・・回転テーブル、４９・・・中心ボス、５１・・・円筒、６１・・・光ディスク、６３・・・金属層、６５・・・磁石、７１・・・光ディスク用ドライブ装置、７３・・・モータ、７５・・・回転軸、７７・・・スピンドルサーボ回路、７９・・・光ヘッド、８１・・・移動機構、８３・・・制御回路
【図１】
2004127380.tif 000003
【図２】
2004127380.tif 000004
【図３】
2004127380.tif 000005
【図４】
2004127380.tif 000006
【図５】
2004127380.tif 000007
【図６】
2004127380.tif 000008
【図７】
2004127380.tif 000009
【図８】
2004127380.tif 000010
【図９】
2004127380.tif 000011
【図１０】
2004127380.tif 000012
【図１１】
2004127380.tif 000013
【図１２】
2004127380.tif 000014
【図１３】
2004127380.tif 000015
【図１４】
2004127380.tif 000016
【図１５】
2004127380.tif 000017
【図１６】
2004127380.tif 000018
【図１７】
2004127380.tif 000019